(57)【要約】【課題】  組立作業が容易なガス発生器の製造方法の提供。【解決手段】  点火器21を包囲するように筒状部材43を被せる工程、筒状部材43の上端開口部からガス発生剤44を充填する工程、更にカップ部材41を被せ、その開口部周縁を点火器カラー31の環状溝33に嵌め込み固定する工程、を有するガス発生器の製造方法。【選択図】  図２
2008036609.tif 000002
【特許請求の範囲】
【請求項１】
着火部を有する点火器が点火器カラーに固定された点火器組立体と、ガス発生剤が収容されたガス発生剤収容室を有し、前記着火部が前記ガス発生剤収容室内に突き出されるように位置しているガス発生器であって、
前記ガス発生剤収容室が、カップ部材と筒状部材の組み合わせを含むものであり、
前記カップ部材と前記筒状部材が、前記カップ部材の内周面と前記筒状部材の外周面が接触乃至は近接された状態で、かつ前記カップ部材の底面と前記筒状部材の上端側開口部が接触乃至は近接された状態で組み合わされ、前記カップ部材の開口部が前記点火器カラーに固定されているものである、ガス発生器。
【請求項２】
前記筒状部材が、前記点火器組立体の作動により、燃焼、変形、破裂又は溶融するものである、請求項１記載のガス発生器。
【請求項３】
前記筒状部材が、周面に多数の穴を有しており、前記穴径が前記ガス発生剤よりも小さなものである、請求項１又は２記載のガス発生器。
【請求項４】
請求項１〜３のいずれかに記載のガス発生器の製造方法であって、
点火器を包囲するように筒状部材を被せる工程、
前記筒状部材の上端開口部からガス発生剤を充填する工程、
前記筒状部材にカップ部材を被せ、前記カップ部材の開口部周縁を点火器カラーに固定する工程、
を有するガス発生器の製造方法。
【請求項５】
前記点火器を包囲するように筒状部材を被せる工程において、前記筒状部材の下端側の開口部周縁を点火器カラーが有する環状溝に嵌め込み、更に次工程において、前記環状溝に前記カップ部材の開口部側を嵌め込んだ後、前記開口部側を固定する、請求項４記載のガス発生器の製造方法。
【請求項６】
前記筒状部材にカップ部材を被せる工程において、前記カップ部材の内周面と前記筒状部材の外周面が接触され、かつ前記カップ部材の底面と前記筒状部材の上端側開口部が接触されるようにする、請求項４又は５記載のガス発生器の製造方法。
【請求項７】
着火部を有する点火器が点火器カラーに固定された点火器組立体と、ガス発生剤が収容されたガス発生剤収容室を有し、前記着火部が前記ガス発生剤収容室内に突き出されるように位置しているガス発生器であって、
前記ガス発生剤収容室が、第１カップ部材と第２カップ部材の組み合わせを含むものであり、
前記第１カップ部材と前記第２カップ部材が、前記第１カップ部材が、凹部を有する底面側が前記点火器側になるように配置され、前記第２カップ部材が前記第１カップ部材に被せられており、
前記第２カップ部材の内周面と前記第１カップ部材の外周面が接触乃至は近接された状態で、かつ前記第２カップ部材の底面と前記第１カップ部材の上端側開口部が接触乃至は近接された状態で組み合わされ、前記第２カップ部材の開口部が前記点火器カラーに固定されているものである、ガス発生器。
【請求項８】
前記第１カップ部材が、前記点火器組立体の作動により、燃焼、変形、破裂又は溶融するものである、請求項７記載のガス発生器。
【請求項９】
前記第１カップ部材が、周面に多数の穴を有しており、前記穴径が前記ガス発生剤よりも小さなものである、請求項７又は８記載のガス発生器。
【請求項１０】
請求項７〜９のいずれかに記載のガス発生器の製造方法であって、
点火器を包囲するように、底面に凹部を有する第１カップ部材の底面側を点火器上に被せる工程、
前記第１カップ部材の上端開口部からガス発生剤を充填する工程、
前記第１カップ部材に第２カップ部材を被せ、前記第２カップ部材の開口部周縁を点火器カラーに固定する工程、
を有するガス発生器の製造方法。
【請求項１１】
前記点火器カラーが有する環状溝に前記第２カップ部材の開口部側を嵌め込んだ後、前記開口部側を固定する、請求項１０記載のガス発生器の製造方法。
【請求項１２】
前記第１カップ部材に前記第２カップ部材を被せる工程において、前記第２カップ部材の内周面と第１カップ部材の外周面が接触され、かつ前記第２カップ部材の底面と前記第１カップ部材の上端側開口部が接触されるようにする、請求項１０又は１１記載のガス発生器の製造方法。
【発明の詳細な説明】
【技術分野】
【０００１】
本発明は、シートベルトリトラクタ用として適したガス発生器とその製造方法に関する。
【背景技術】
【０００２】
シートベルトリトラクタ用のガス発生器では、点火器に接触させてガス発生剤を配置するが、使用するガス発生剤の量は少なく、カップに収容された状態で点火器に接触されている。
【０００３】
点火器は点火器カラーに取り付けられ、その点火器カラーに対してカップが取り付けられている。点火器の作動部には着火薬が配置され、カバーで覆われているが、点火器カラーから作動部が突起した状態となる。よって、ガス発生剤が充填されたカップを点火器カラーに取り付ける際には、突起した作動部をガス発生剤に向かって押し込むようにして取り付けることになる。このため、前記作動部とガス発生剤の接触により、ガス発生剤が粉砕されたり、変形破壊されたりして、ガス発生器の性能が変化する可能性がある。
【０００４】
特許文献１には、シートベルト装置に使用できるガス発生器が開示されており、図１６〜図２１には、図１５で示すガス発生器の組立方法が示されている。図１５で示すガス発生器では、カップ４０内にガス発生剤成型体５０が充填されている。このガス発生器は、カップ４０の底板部４２を下にして、燃焼制御部材３０をカップ４０内部に挿入する（図１８）；その状態で、カップ４０と燃焼制御部材３０との隙間からシュート治具１５０を用いて成型体５０を充填する（図１９）；所定量の成型体５０を充填し終わった後は、シュート治具１５０を取り除き（図２０）、イグナイタ組立体を被せる（図２１）との工程を経て組み立てられる。
【０００５】
この組立方法であると、シュート治具１５０を用意することが必要となり、更にカップ４０内部に成型体５０を充填する際に、カップ開口端部と燃焼制御部材３０との隙間にガス発生剤を充填することになるため充填しにくい。また、燃焼制御部材３０は下端になるほど径が小さくなるため（図１９参照）、カップ４０奥（底部分）に均一に成型体５０が入ったかどうかが確認し辛い。
【特許文献１】特開２００６−１３６８６１号公報
【発明の開示】
【発明が解決しようとする課題】
【０００６】
本発明では、構造が単純で組み立てやすいガス発生器とその製造方法を提供することを課題とする。
【課題を解決するための手段】
【０００７】
〔請求項１〕
請求項１の発明は、課題の解決手段として、
着火部を有する点火器が点火器カラーに固定された点火器組立体と、ガス発生剤が収容されたガス発生剤収容室を有し、前記着火部が前記ガス発生剤収容室内に突き出されるように位置しているガス発生器であって、
前記ガス発生剤収容室が、カップ部材と筒状部材の組み合わせを含むものであり、
前記カップ部材と前記筒状部材が、前記カップ部材の内周面と前記筒状部材の外周面が接触乃至は近接された状態で、かつ前記カップ部材の底面と前記筒状部材の上端側開口部が接触乃至は近接された状態で組み合わされ、前記カップ部材の開口部が前記点火器カラーに固定されているものである、ガス発生器を提供する。
【０００８】
カップ部材と共に筒状部材を用いてガス発生剤収容室の周面と天井面を形成する場合、まず筒状部材を配置することで、天井面が開口した状態のガス発生剤収容室が形成され、その上にカップ部材を被せることにより、密閉された状態のガス発生剤収容室が形成される。そして、前記したように、ガス発生剤収容室の天井面が開口されている状態でガス発生剤を充填すると、特許文献１で用いているような特別なシュート治具は必要なく、充填作業も容易であり、更に充填作業時にガス発生剤が着火部で押されることがないため、ガス発生剤が粉砕されたり、変形破壊されたりすることがない。
【０００９】
また、カップ部材と筒状部材の高さを予め同一程度に設定しておくことで、筒状部材の上端側の開口部周縁までガス発生剤を充填すれば、カップ部材を被せた後の底面側に空隙が生じることもなくなる。前記したような空隙が生じた場合、充填したガス発生剤が外部振動を受けて動き、粉砕されたり、異音発生の原因となるが、そのような問題も防止される。なお、筒状部材の高さは、ガス発生剤の充填量に応じて調整しておくことが望ましい。
【００１０】
筒状部材は一時的にガス発生剤を充填できる空間が確保できる程度の強度を有していればよいので、厚みも薄くすることができる。このため、カップ部材を被せて二重壁構造にした場合でも、外径はカップ部材のみの場合と比べても殆ど変わらない程度にすることができる。
【００１１】
カップ部材と筒状部材は、相互に接触した状態でもよいし、僅かな隙間を開けた状態であってもよいが、カップ部材と筒状部材が接触状態にある方が小型化の点で好ましく、更にカップ部材の底面と筒状部材の上端側の開口部が接触された状態であると、前記底面で筒状部材が下方に押された状態で固定できるため好ましい。
【００１２】
なお、カップ部材はアルミニウム、ステンレス等の金属製の公知のものを用いることができ、点火器組立体の作動により全体が破壊されるもの、周面又は底面のみが破壊されるもの、特定部位（例えば、閉塞された穴、予め形成された脆弱部）において破壊されるもののいずれでもよい。
【００１３】
〔請求項２〕
請求項２の発明は、課題の他の解決手段として、前記筒状部材が、前記点火器組立体の作動により、燃焼、変形、破裂又は溶融するものである、請求項１記載のガス発生器を提供する。
【００１４】
上記のとおり、筒状部材を燃焼、変形、破裂（破壊や破断も含む）又は溶融するものにすることで、ガス発生剤が燃焼して発生した燃焼ガスがカップ部材を破って放出することが阻害されることがない。なお、筒状部材自体をガス発生剤等のガス発生源で形成し、前記点火器組立体により着火させて発生した燃焼ガスを利用できるようにすることもできる。
【００１５】
筒状部材は、厚さ５０μm程度のアルミニウム箔、前記アルミニウム箔と同程度の強度を有する樹脂からなるものを用いることができる。
【００１６】
〔請求項３〕
請求項３の発明は、課題の他の解決手段として、前記筒状部材が、周面に多数の穴を有しており、前記穴径が前記ガス発生剤よりも小さなものである、請求項１又は２記載のガス発生器を提供する。
【００１７】
筒状部材を周面に多数の穴を有するものにした場合、点火器組立体の作動によりガス発生剤が燃焼してガスが発生したとき、前記ガスは、前記穴を通り、カップ部材を破壊して放出される。このため、筒状部材を周面に多数の穴を有するものにした場合は、筒状部材は点火器組立体の作動によっても燃焼、変形、破裂又は溶融しないものにすることができるが、点火器組立体の作動により、燃焼、変形、破裂又は溶融するものにしてもよい。
【００１８】
〔請求項４〕
請求項４の発明は、他の課題の解決手段として、
請求項１〜３のいずれかに記載のガス発生器の製造方法であって、
点火器を包囲するように筒状部材を被せる工程、
前記筒状部材の上端開口部からガス発生剤を充填する工程、
前記筒状部材にカップ部材を被せ、前記カップ部材の開口部周縁を点火器カラーに固定する工程、
を有するガス発生器の製造方法を提供する。
【００１９】
点火器を包囲するように筒状部材を被せることで、天井面（上端側開口部）が開いた状態のガス発生剤収容室が形成されることになり、前記した開口部分から容易にガス発生剤を充填することができる。このため、ガス発生剤の充填作業が容易であり、作業状態の確認も容易である。
【００２０】
次の工程にて、筒状部材にカップ部材を被せて、開口している天井面をカップ部材底面で塞ぎ、カップ部材の開口部周縁を点火器カラーに固定することにより、密閉状態のガス発生剤収容室内にガス発生剤が充填された状態になる。
【００２１】
〔請求項５〕
請求項５の発明は、他の課題の他の解決手段として、前記点火器を包囲するように筒状部材を被せる工程において、前記筒状部材の下端側の開口部周縁を点火器カラーが有する環状溝に嵌め込み、更に次工程において、前記環状溝に前記カップ部材の開口部側を嵌め込んだ後、前記開口部側を固定する、請求項４記載のガス発生器の製造方法を提供する。
【００２２】
このように予め形成された環状溝に筒状部材とカップ部材の開口部側を一緒に嵌め込めば、位置決め及び固定が容易であり、作業が簡略化される。なお、カップ部材の開口部側にフランジを形成し、前記フランジを環状溝に嵌め込むことで、より固定強度が高められる。
【００２３】
〔請求項６〕
請求項６の発明は、他の課題の他の解決手段として、前記筒状部材にカップ部材を被せる工程において、前記カップ部材の内周面と前記筒状部材の外周面が接触され、かつ前記カップ部材の底面と前記筒状部材の上端側開口部が接触されるようにする、請求項４又は５記載のガス発生器の製造方法を提供する。
【００２４】
上記のとおりにカップ部材と筒状部材が接触された状態にすることで、全体の容積をより小さくすることができ、カップ部材の底面で筒状部材を上から押さえることになるため、筒状部材の固定強度が高められる。
【００２５】
〔請求項７〕
請求項７の発明は、課題の解決手段として、
着火部を有する点火器が点火器カラーに固定された点火器組立体と、ガス発生剤が収容されたガス発生剤収容室を有し、前記着火部が前記ガス発生剤収容室内に突き出されるように位置しているガス発生器であって、
前記ガス発生剤収容室が、第１カップ部材と第２カップ部材の組み合わせを含むものであり、
前記第１カップ部材と前記第２カップ部材が、前記第１カップ部材が、凹部を有する底面側が前記点火器側になるように配置され、前記第２カップ部材が前記第１カップ部材に被せられており、
前記第２カップ部材の内周面と前記第１カップ部材の外周面が接触乃至は近接された状態で、かつ前記第２カップ部材の底面と前記第１カップ部材の上端側開口部が接触乃至は近接された状態で組み合わされ、前記第２カップ部材の開口部が前記点火器カラーに固定されているものである、ガス発生器を提供する。
【００２６】
第１カップ部材と共に第２カップ部材を用いてガス発生剤収容室の周面と天井面を形成する場合、まず、好ましくは点火器組立体の少なくとも着火部を含む部分の外形と同形状の凹部を底面に有する第１カップ部材を、底面側から点火器に被せて配置することで、天井面が開口した状態のガス発生剤収容室が形成され、その上に第２カップ部材を被せることにより、密閉された状態のガス発生剤収容室が形成される。そして、前記したように、ガス発生剤収容室の天井面が開口されている状態でガス発生剤を充填すると、特許文献１で用いているような特別なシュート治具は必要なく、充填作業も容易であり、更に充填作業時にガス発生剤が着火部で押されることがないため、ガス発生剤が粉砕されることがない。
【００２７】
また、第２カップ部材と第１カップ部材の高さを予め同一程度に設定しておくことで、第１カップ部材の上端側の開口部周縁までガス発生剤を充填すれば、第２カップ部材を被せた後の底面側に空隙が生じることもなくなる。前記したような空隙が生じた場合、充填したガス発生剤が外部振動を受けて動き、粉砕されたり、異音発生の原因となるが、そのような問題も防止される。なお、第１カップ部材の高さは、ガス発生剤の充填量に応じて調整しておくことが望ましい。
【００２８】
第１カップ部材は、底面において、被せようとする点火器組立体の少なくとも着火部を含む部分の外形と一致又は近似した凹部を有するものである。第１カップ部材の底面側を点火器組立体に嵌め込んだ後にガス発生剤を充填する作業があるため、第１カップ部材底面の凹部は、第１カップ部材を点火器組立体に嵌め込んだときに、ガス発生剤の充填作業性を損なわない程度に第１カップ部材を静止させることができる程度の形状及び深さであればよい。
【００２９】
また第１カップ部材は、一時的にガス発生剤を充填できる空間が確保できる程度の強度を有していればよいので、厚みも薄くすることができる。このため、第２カップ部材を被せて二重壁構造にした場合でも、外径は第２カップ部材のみの場合と比べても殆ど変わらない程度にすることができる。
【００３０】
第２カップ部材と第１カップ部材は、相互に接触した状態でもよいし、僅かな隙間を開けた状態であってもよいが、第２カップ部材と第１カップ部材が接触状態にある方が小型化の点で好ましく、更に第２カップ部材の底面と第１カップ部材の上端側の開口部が接触された状態であると、前記底面で第１カップ部材が下方に押された状態で固定できるため好ましい。
【００３１】
なお、第２カップ部材は、アルミニウム、ステンレス等の金属製の公知のものを用いることができ、点火器組立体の作動により全体が破壊されるもの、周面又は底面のみが破壊されるもの、特定部位（例えば、閉塞された穴、予め形成された脆弱部）において破壊されるもののいずれでもよい。
【００３２】
〔請求項８〕
請求項８の発明は、課題の他の解決手段として、前記第１カップ部材が、前記点火器組立体の作動により、燃焼、変形、破裂又は溶融するものである、請求項７記載のガス発生器を提供する。
【００３３】
上記のとおり、第１カップ部材を燃焼、変形、破裂（破壊や破断も含む）又は溶融するものにすることで、ガス発生剤が燃焼して発生した燃焼ガスがカップ部材を破って放出することが阻害されることがない。なお、第１カップ部材自体をガス発生剤等のガス発生源で形成し、前記点火器組立体により着火させて発生した燃焼ガスを利用できるようにすることもできる。
【００３４】
第１カップ部材は、厚さ５０μm程度のアルミニウム箔、前記アルミニウム箔と同程度の強度を有する樹脂からなるものを用いることができる。
【００３５】
〔請求項９〕
請求項９の発明は、課題の他の解決手段として、前記第１カップ部材が、周面に多数の穴を有しており、前記穴径が前記ガス発生剤よりも小さなものである、請求項７又は８記載のガス発生器を提供する。
【００３６】
第１カップ部材を周面に多数の穴を有するものにした場合、点火器組立体の作動によりガス発生剤が燃焼してガスが発生したとき、前記ガスは、前記穴を通り、第２カップ部材を破壊して放出される。このため、第１カップ部材を周面に多数の穴を有するものにした場合は、第１カップ部材は点火器組立体の作動によっても燃焼、変形又は溶融しないものにすることができるが、点火器組立体の作動により、燃焼、変形又は溶融するものにしてもよい。
【００３７】
〔請求項１０〕
請求項１０の発明は、課題の他の解決手段として、
請求項７〜９のいずれかに記載のガス発生器の製造方法であって、
点火器を包囲するように、底面に凹部を有する第１カップ部材の底面側を点火器上に被せる工程、
前記第１カップ部材の上端開口部からガス発生剤を充填する工程、
前記第１カップ部材に第２カップ部材を被せ、前記第２カップ部材の開口部周縁を点火器カラーに固定する工程、
を有するガス発生器の製造方法を提供する。
【００３８】
点火器を包囲するように第１カップ部材の底面側を点火器上に被せることで、天井面（上端側開口部）が開いた状態のガス発生剤収容室が形成されることになり、前記した開口部分から容易にガス発生剤を充填することができる。このため、ガス発生剤の充填作業が容易であり、作業状態の確認も容易である。なお、予め底面に凹部を有する第１カップ部材内にガス発生剤を充填したものを、点火器に被せる工程を含む製造方法でもよい。
【００３９】
次の工程にて、第１カップ部材に第２カップ部材を被せて、開口している天井面を第２カップ部材底面で塞ぎ、第２カップ部材の開口部周縁を点火器カラーに固定することにより、密閉状態のガス発生剤収容室内にガス発生剤が充填された状態になる。
【００４０】
〔請求項１１〕
請求項１１の発明は、課題の他の解決手段として、前記点火器カラーが有する環状溝に前記第２カップ部材の開口部側を嵌め込んだ後、前記開口部側を固定する、請求項１０記載のガス発生器の製造方法を提供する。
【００４１】
このように予め形成された環状溝に第２カップ部材の開口部側を嵌め込めば、位置決め及び固定が容易であり、作業が簡略化される。なお、第２カップ部材の開口部側にフランジを形成し、前記フランジを環状溝に嵌め込むことで、より固定強度が高められる。
【００４２】
〔請求項１２〕
請求項１２の発明は、課題の他の解決手段として、前記第１カップ部材に前記第２カップ部材を被せる工程において、前記第２カップ部材の内周面と第１カップ部材の外周面が接触され、かつ前記第２カップ部材の底面と前記第１カップ部材の上端側開口部が接触されるようにする、請求項１０又は１１記載のガス発生器の製造方法を提供する。
【００４３】
上記のとおりに第２カップ部材と第１カップ部材が接触された状態にすることで、全体の容積をより小さくすることができ、第２カップ部材の底面で第１カップ部材を上から押さえることになるため、第１カップ部材の固定強度が高められる。
【発明の効果】
【００４４】
本発明のガス発生器は、ガス発生剤の充填作業を含む組立作業が容易であり、組立作業途中にて、ガス発生剤が粉砕、破壊、変形したりすることがない。
【発明を実施するための最良の形態】
【００４５】
＜第１のガス発生器＞
図１は、本発明のガス発生器１０を示す縦断面図で、シートベルトリトラクタに使用されるガス発生器を示したものである。ガス発生器１０は、点火器組立体２０とガス発生剤収容室４０との組み合わせからなるものである。
【００４６】
点火器組立体２０は、電気式の点火器２１が点火器カラー３１に固定されてなるものである。点火器２１は、アイレット２２で一体化された一対の導電性ピン２３を有しており、導電性ピン２３同士は、ブリッジワイヤ２４で電気的に導電可能なものである。一対の導電性ピン２３の一部は、樹脂からなる成形部材２５で包囲されている。アイレット２２は、成形部材２５から、その一端面（ブリッジワイヤ２４側）が露出された状態である。
【００４７】
成形部材２５上には、アイレット２２を包囲するようにして筒状のチャージホルダー２６が取り付けられており、内部にはキャビティ２７が形成され、着火薬２８が充填されている。キャビティ２７は、蓋部材２９によって閉塞されている。
【００４８】
点火器２１は、金属製の点火器カラー３１に取り付けられている。図１では、点火器カラー３１に形成された環状部分３２をかしめて成形部材２５を保持することで、点火器２１が固定されている。
【００４９】
点火器カラー３１に形成された環状溝３３には、カップ部材４１の開口部に形成されたフランジ４２が嵌め込まれている。カップ部材４１の内部には、筒状部材４３が配置されている。筒状部材４３は、下端部は環状溝３３に嵌め込まれ、上端部はカップ部材４１の天井面に当接されており、外周面はカップ部材４１の内周面と接触している。カップ部材４１と筒状部材４３は、環状溝３３の周壁３３ａをかしめることで共に固定されている。
【００５０】
カップ部材４１と筒状部材４３内の空間がガス発生剤収容室４０となっており、所要量のガス発生剤４４が充填されている。
【００５１】
筒状部材４３は、点火器２１の作動によりガス発生剤４４が着火燃焼して発生した高温ガスによって、容易に燃焼、変形又は溶融するものが好ましく、厚さ５０μm程度のアルミニウム箔や同程度の強度を有する樹脂（ナイロン６−１２、ナイロン６−６等）製のものを用いることができる。但し、カップ部材４１の底面に脆弱部（溝、傷、厚みの薄い部分等）を形成したり、金属箔で閉塞された孔を形成したりして、前記高温ガスの圧力により底面を開裂させ、そこから高温ガスを放出させる構造である場合には、筒状部材４３は、点火器２１の作動による火炎、ガス等によって燃焼、変形又は溶融しないものでもよい。
【００５２】
また、カップ部材４１の周面に脆弱部（溝、傷、厚みの薄い部分等）を形成したり、金属箔で閉塞された孔を形成したりして、前記高温ガスの圧力により周面を開裂させ、そこから高温ガスを放出させる構造である場合には、筒状部材４３は、周面に複数の穴（ガス発生剤４４の最小径部分よりも小さな径の穴）を有するものや、周面に脆弱部を有するものでもよい。
【００５３】
次に、図１に示すガス発生器１０の動作を説明する。なお、カップ部材４１は、作動時において底面が破壊されるものである。
【００５４】
導電性ピン２３に着火電流が伝わることにより点火器２１が作動し、着火薬２８の燃焼により火炎・ガス等を発生させる。これら火炎等は、ガス発生剤収容室４０内のガス発生剤４４を着火・燃焼させ、作動用ガスを発生させる。この作動用ガスは、カップ部材４１の天井面を破って、上方向に放出される。このため、筒状部材４３は、そのままの状態で残存していても作動上の問題はない。
【００５５】
＜第１のガス発生器の製造方法＞
次に、図２（Ａ）、（Ｂ）、（Ｃ）により、図１で示すガス発生器の製造方法を説明する。図２は、製造工程を示す縦断面図である。
【００５６】
図２（Ａ）に示すように、点火器組立体２０の成形部材２５の外周面に接するようにして筒状部材４３を被せて行き、開口部周縁を環状溝３３に当接させる。この工程により、チャージホルダ２６は筒状部材４３で包囲される。
【００５７】
次に、図２（Ｂ）に示すように、筒状部材４３の上端開口部からガス発生剤４４を充填する。筒状部材４３の高さは、ガス発生剤４４の充填量に応じて調整しておき、上端側の開口部周縁４３ａまで充填されるように調整しておくことが好ましい。このようにすることで、図２（Ｃ）で示す次工程にて、筒状部材４３にカップ部材４１を被せたとき、筒状部材４１内に充填されたガス発生剤４４とカップ部材底面４１ａとの間に隙間が生じることがなくなる。
【００５８】
次に、図２（Ｃ）に示すように、筒状部材４３にカップ部材４１を被せ、カップ部材４１のフランジ４２を環状溝３３に嵌め込む。このとき、カップ部材４１の内周面と筒状部材４３の外周面が接触し、かつカップ部材底面４１ａと筒状部材４３の上端側の開口部周縁４３ａが接触するようにする。このようにすることで、筒状部材４３がカップ部材底面４１ａと環状溝３３で上下から押圧されるので、筒状部材４３が強く固定される。
【００５９】
その後、環状溝の周壁３３ａをかしめて、フランジ４２を固定する。このようにすることで、カップ部材４１が固定されると共に、カップ部材４１の周面が筒状部材４３の周面を押圧するため、筒状部材４３の固定強度も高められる。
【００６０】
本発明の製造方法によれば、従来技術のように、着火部とガス発生剤が強く接触することがないため、製造途中にガス発生剤が粉砕されることがない。また、ガス発生剤４４は筒状部材４３の上端側の開口部から充填できるので、充填作業自体が容易であり、充填状態の確認も容易である。更に、ガス発生剤の充填量に応じて筒状部材の高さを調整し、筒状部材の高さに応じてカップ部材の高さを調整しておくことにより、カップ部材を被せたとき、カップ部材底面と充填されたガス発生剤との間に、ガス発生剤が移動するような間隙を生じさせることがなくなる。
【００６１】
＜第２のガス発生器及びその製造方法＞
図３は、本発明の別実施形態であるガス発生器１００を示す縦断面図で、シートベルトリトラクタに使用されるガス発生器を示したものであり、図４は、図３で示すガス発生器の製造工程を示す縦断面図である。
【００６２】
図３に示すガス発生器１００は、図１に示す筒状部材４３の代わりに第１カップ部材１１１を用いたほかは、図１に示すガス発生器１０と同一構造である。図１と同一番号は、同じ構成要素であることを意味し、図１のカップ部材４１と図３の第２カップ部材４１は名称のみが異なるものである。
【００６３】
第１カップ部材１１１は、底面側に凹部１１２を有しており、凹部１１２は、チャージホルダ２６と蓋部材２９に接触して、成形部材２５とかしめられた環状部分３２に接触乃至は近接した状態で被せられるような形状である。第２カップ部材４１と第１カップ部材１１１内の空間がガス発生剤収容室４０となっており、所要量のガス発生剤４４が充填されている。
【００６４】
第１カップ部材１１１は、点火器２１の作動によりガス発生剤４４が着火燃焼して発生した高温ガスによって、容易に燃焼、変形又は溶融するものが好ましく、厚さ５０μm程度のアルミニウム箔や同程度の強度を有する樹脂（ナイロン６−１２、ナイロン６−６等）製のものを用いることができる。
【００６５】
次に、製造方法について説明する。図４（Ａ）に示すように、点火器組立体２０に上方から第１カップ部材１１１の凹部１１２を被せる。その後、図４（Ｂ）に示すように、第１カップ部材１１１の開口部からガス発生剤４４を充填する。第１カップ部材１１１の高さは、ガス発生剤４４の充填量に応じて調整しておき、上端側の開口部周縁１１３まで充填されるように調整しておくことが好ましい。このようにすることで、図４（Ｃ）で示す次工程にて、第１カップ部材１１１に第２カップ部材４１を被せたとき、第１カップ部材１１１内に充填されたガス発生剤４４と第２カップ部材底面４１ａとの間に隙間が生じることがなくなる。
【００６６】
その後、図４（Ｃ）に示すように第１カップ部材１１１に第２カップ部材４１を被せ、第２カップ部材４１のフランジ４２を環状溝３３に嵌め込む。このとき、第２カップ部材４１の内周面と第１カップ部材１１１の外周面が接触し、かつ第２カップ部材底面４１ａと第１カップ部材１１１の上端側の開口部周縁１１３が接触するようにする。このようにすることで、第１カップ部材１１１が第２カップ部材底面４１ａと蓋部材２９で上下から押圧されるので、第１カップ部材１１１が強く固定される。
【００６７】
その後、環状溝の周壁３３ａをかしめて、フランジ４２を固定する。このようにすることで、第２カップ部材４１が固定されると共に、第２カップ部材４１の周面が第１カップ部材１１１の周面を押圧するため、第１カップ部材１１１の固定強度も高められる。
【００６８】
なお、図４（Ａ）、（Ｂ）で示す工程において、予め所要量のガス発生剤４４を充填した第１カップ部材１１１を点火器組立体２０に被せた後、図４（Ｃ）で示す組立工程に移行してもよい。
【図面の簡単な説明】
【００６９】
【図１】本発明のガス発生器の縦断面図。
【図２】図１のガス発生器の製造工程を説明するための縦断面図。
【図３】本発明の他実施形態のガス発生器の縦断面図。
【図４】図３のガス発生器の製造工程を説明するための縦断面図。
【符号の説明】
【００７０】
１０  ガス発生器
２０  点火器組立体
２１  点火器
２６  チャージホルダ
３１  点火器カラー
４１  カップ部材
４２  フランジ
４３  筒状部材
４４  ガス発生剤
【図１】
2008036609.tif 000003
【図２】
2008036609.tif 000004
【図３】
2008036609.tif 000005
【図４】
2008036609.tif 000006